(57)【要約】      （修正有）【課題】保護フィルムがタブレット電子デバイスのスクリーンに貼り合せられた後、手を擦りやすくてタブレット電子デバイスの把持感触が悪くなることを引き起こしてしまう課題を、解決するタブレット電子デバイスのガラス保護フィルムを提供する。【解決手段】タブレット電子デバイスのスクリーンに貼り合せるためのガラス膜１０と、タブレット電子デバイスの側辺に貼り合せるための保護枠２０と、を含む。保護枠２０は、ガラス膜１０を取り囲み、且つ内側がガラス膜１０の周辺に固接される。ガラス膜１０はタブレット電子デバイスに貼り合せる内面１２と内面１２に対向する外面１１とを含む。ガラス膜１０の周辺に保護枠２０を設けることで、保護枠２０によってタブレット電子デバイスの側辺を貼り合せる。【選択図】図３
0003198445.tif 000002
【実用新案登録請求の範囲】
【請求項１】
タブレット電子デバイスのスクリーンに貼り合せるためのガラス膜を含むタブレット電子デバイスのガラス保護フィルムにおいて、
前記タブレット電子デバイスの側辺に貼り合せるための保護枠であって、前記ガラス膜を取り囲み、且つその内側が前記ガラス膜の周辺に固接される保護枠、
を更に含むことを特徴とするタブレット電子デバイスのガラス保護フィルム。
【請求項２】
前記保護枠は、
前記ガラス膜の周辺を取り囲む側枠部と、
前記タブレット電子デバイスの側辺に貼り合せるための貼合部であって、前記側枠部から外側へ突出して延伸する貼合部と、
を含むことを特徴とする請求項１に記載のタブレット電子デバイスのガラス保護フィルム。
【請求項３】
前記貼合部は、
前記タブレット電子デバイスの側辺に連携して貼り合せるための貼合面と、
前記側枠部に弧形で過渡接続される、前記貼合面に対向する外側面と、
を含むことを特徴とする請求項２に記載のタブレット電子デバイスのガラス保護フィルム。
【請求項４】
前記保護枠は、
前記ガラス膜の内面の周辺に接続され、前記側枠部の内側面における前記貼合部に近い一側から突出して延伸する接続部、
を更に含むことを特徴とする請求項２に記載のタブレット電子デバイスのガラス保護フィルム。
【請求項５】
前記ガラス膜の内面の周辺に凹溝が開設され、前記接続部に前記凹溝に連携して伸び込む係合ボスが突出設置されていること、
を特徴とする請求項４に記載のタブレット電子デバイスのガラス保護フィルム。
【請求項６】
前記側枠部の内側面に前記ガラス膜の周辺を挿入させるＵ型溝が設けられていること、
を特徴とする請求項２に記載のタブレット電子デバイスのガラス保護フィルム。
【請求項７】
前記ガラス膜の周辺に前記Ｕ型溝に連携して挿入される、厚さが前記ガラス膜の中部の厚さより小さい接続ボスが突出設置されていること、
を特徴とする請求項６に記載のタブレット電子デバイスのガラス保護フィルム。
【請求項８】
前記ガラス膜の内面における前記タブレット電子デバイスのフレームに対応する位置に装飾層が設けられていること、
を特徴とする請求項１〜７のいずれか一項に記載のタブレット電子デバイスのガラス保護フィルム。
【請求項９】
前記保護枠は前記ガラス膜の周辺に射出成形された軟質ゴム枠であること、
を特徴とする請求項１〜７のいずれか一項に記載のタブレット電子デバイスのガラス保護フィルム。
【請求項１０】
前記ガラス膜の内面を保護するための、前記ガラス膜の内面に貼り合せられる保護膜を更に含むこと、
を特徴とする請求項１〜７のいずれか一項に記載のタブレット電子デバイスのガラス保護フィルム。
【考案の詳細な説明】
【技術分野】
【０００１】
本実用新案はタブレット電子デバイスのアクセサリーの分野に属し、特にタブレット電子デバイスのガラス保護フィルムに関する。
【背景技術】
【０００２】
タブレット電子デバイスは、置く時に、スクリーンの上の砂粒等によって擦り傷が付き、表示鮮明度への影響を与えることが多い。そのため、ほとんどの人はタブレット電子デバイスを購入した後、タブレット電子デバイスのスクリーンの上に一層の保護フィルムを貼り合せる。ガラス膜は他の一般的な保護膜に比べて、透過性がより好ましく、強度がより高く、耐擦傷性がより優れており、且つスクリーンに貼り合せやすいので、広くユーザに喜ばれている。しがしながら、既存のタブレット電子デバイスのスクリーンは、一般にフレームで周囲が囲まれており、スクリーンの表面がフレームの側辺と同一な高さになり、又はフレームから突出している。更にフレームの側辺とスクリーンとの境界に弧形を形成させて良好な把持感触を持たせるタブレット電子デバイスがある。しかしながら、ガラス膜は、一般の保護膜に比べて、厚く、硬度も高く、タブレット電子デバイスのスクリーンに貼り合せられた後、ガラス膜の側辺が手を擦りやすくなり、タブレット電子デバイスの把持感触が悪くなってしまう。
【考案の概要】
【考案が解決しようとする課題】
【０００３】
本実用新案は、従来のガラス膜を含む保護フィルムがタブレット電子デバイスのスクリーンに貼り合せられた後、手を擦りやすくてタブレット電子デバイスの把持感触が悪くなることを引き起こしてしまう課題を、解決することを旨とするタブレット電子デバイスのガラス保護フィルムを提供することを目的にしている。
【課題を解決するための手段】
【０００４】
本実用新案は、タブレット電子デバイスのスクリーンに貼り合せるためのガラス膜を含むタブレット電子デバイスのガラス保護フィルムにおいて、更に、前記タブレット電子デバイスの側辺に貼り合せるためのものであり、前記ガラス膜を取り囲み、且つ内側が前記ガラス膜の周辺に固接される保護枠を含むタブレット電子デバイスのガラス保護フィルムによって実現される。
【０００５】
前記保護枠は、前記ガラス膜の周辺を取り囲む側枠部と、前記タブレット電子デバイスの側辺に貼り合せるための、前記側枠部から相対的に外側へ突出して延伸する貼合部とを含む。
【０００６】
前記貼合部は、前記タブレット電子デバイスの側辺に連携して貼り合せるための貼合面と、前記側枠部に弧形で過渡接続される、前記貼合面に対する外側面とを含む。
【０００７】
前記保護枠は、前記ガラス膜の内面の周辺に接続され、前記側枠部の内側面における前記貼合部に近い一側から突出して延伸する接続部を更に含む。
【０００８】
前記ガラス膜の内面の周辺に凹溝が開設され、前記接続部に前記凹溝に連携して伸び込む係合ボスが突出設置されている。
【０００９】
前記側枠部の内側面に前記ガラス膜の周辺を挿入させるＵ型溝が設けられている。
【００１０】
前記ガラス膜の周辺に前記Ｕ型溝に連携して挿入される、前記ガラス膜の中部の厚さより薄い接続ボスが突出設置されている。
【００１１】
前記ガラス膜の内面における前記タブレット電子デバイスのフレームに対応する位置に装飾層が設けられている。
【００１２】
前記保護枠は前記ガラス膜の周辺に射出成形される軟質ゴム枠である。
【００１３】
前記ガラス膜の内面を保護するための、前記ガラス膜の内面に貼り合せられる保護膜を更に含む。
【００１４】
本実用新案において、ガラス膜の周辺に保護枠を設けることで、保護枠によってタブレット電子デバイスの側辺を貼り合せ、該タブレット電子デバイスのガラス保護フィルムがタブレット電子デバイスのスクリーンに貼り合せられた後、保護枠が延伸してタブレット電子デバイスの側辺に貼り合せられるようになって、手でタブレット電子デバイスを握る時、保護枠によって過渡接続されているため、ガラス膜が手を擦ることが防止され、タブレット電子デバイスの把持感触が保持される。
【図面の簡単な説明】
【００１５】
【図１】本実用新案の実施例１で提供するタブレット電子デバイスのガラス保護フィルムの正面構造模式図である。
【図２】図１における線Ａ−Ａに沿った断面構造模式図である。
【図３】図２におけるＢ部分を拡大した構造模式図である。
【図４】図１のタブレット電子デバイスのガラス保護フィルムの分解構造模式図である。
【図５】本実用新案の実施例２で提供するタブレット電子デバイスのガラス保護フィルムの一部の構造の断面模式図である。
【図６】本実用新案の実施例３で提供するタブレット電子デバイスのガラス保護フィルムの一部の構造の断面模式図である。
【図７】本実用新案の実施例４で提供するタブレット電子デバイスのガラス保護フィルムの立体構造模式図である。
【図８】図７の断面構造模式図である。
【図９】図８におけるＣ部分を拡大した構造模式図である。
【考案を実施するための形態】
【００１６】
本実用新案の目的、技術的手段及びメリットをより分かりやすくするために、以下、添付図面及び実施例を参照しながら本実用新案を更に詳細に説明する。ここで記述された具体的な実施例が、本実用新案を解釈するためのものに過ぎず、本実用新案を限定するためのものではないことは、理解すべきである。
【００１７】
（実施例１）
図１及び図４を参照し、タブレット電子デバイスのスクリーンに貼り合せるためのガラス膜１０と、タブレット電子デバイスの側辺に貼り合せるための保護枠２０と、を含むタブレット電子デバイスのガラス保護フィルムを説明する。保護枠２０は、ガラス膜１０を取り囲み、且つ内側がガラス膜１０の周辺に固接される。ガラス膜１０はタブレット電子デバイスに貼り合せる内面１２と内面１２に対向する外面１１とを含む。
【００１８】
ガラス膜１０の周辺に保護枠２０を設けることで、保護枠２０によってタブレット電子デバイスの側辺を貼り合せ、該タブレット電子デバイスのガラス保護フィルムがタブレット電子デバイスのスクリーンに貼り合せられた後、ガラス膜から延伸している保護枠２０がタブレット電子デバイスの側辺に貼り合せられるようになって、手でタブレット電子デバイスを握る時、保護枠２０によって過渡接続可能であって、ガラス膜１０が手を擦ることが防止され、タブレット電子デバイスの把持感触が保持される。
【００１９】
図２及び図３を共に参照し、本実施例では、保護枠２０は、ガラス膜１０の周辺を取り囲む側枠部２１と、タブレット電子デバイスの側辺に貼り合せるための、側枠部２１から相対的に外側へ突出して延伸する貼合部２２とを含む。より好適にガラス膜１０に固接させるために、側枠部２１を設ける。他の実施例では、直接貼合部２２をガラス膜１０に接続してもよい。
【００２０】
貼合部２２は、タブレット電子デバイスの側辺に連携して貼り合せるための貼合面２２１と、側枠部２１に弧形で過渡接続される、該貼合面２２１に対する外側面２２２と、を含む。タブレット電子デバイスの側辺に更に緊密に貼り合せ、手がタブレット電子デバイスの側辺を触る時に、貼合部２２がめくれる又は浮くのを防止するために貼合面２２１を設ける。外側面２２２を弧形に設けて手を擦ることを防止でき、把持時に円滑に感じさせ、把持感触を高めることができる。
【００２１】
貼合面２２１のガラス膜１０の厚さ方向への投影の幅範囲が０．３〜１．５ｍｍであり、つまり、該タブレット電子デバイスのガラス保護フィルムをタブレット電子デバイスに貼り合せた後、貼合部２２はタブレット電子デバイスの側辺おいてタブレット電子デバイスの下面・裏面の方向へ０．３〜１．５ｍｍ延伸する。このようにしてタブレット電子デバイスの美しい外観を保持できると共に、該タブレット電子デバイスのガラス保護フィルムの貼合を便利にすることもできる。なお、貼合面２２１のガラス膜１０の厚さ方向への投影の幅が０．５ｍｍであることが好ましい。
【００２２】
保護枠２０は、側枠部２１の内側面における貼合部２２に近い一側から突出して延伸し、ガラス膜１０の内面１２の周辺に接続される接続部２３を含む。ガラス膜１０の内面１２の周辺に接続するように接続部２３を設けることで、保護枠２０とガラス膜１０の接続面積を増大し、保護枠２０をより堅固にガラス膜１０に固定させることが可能になる。
【００２３】
該タブレット電子デバイスのガラス保護フィルムは、更にガラス膜１０の内面１２を保護するための、ガラスの内面１２に貼り合せられる保護膜３０を含む。保護膜３０を設けることで、該タブレット電子デバイスのガラス保護フィルムを保存、長距離運輸する時、ガラス膜１０の内面１２に擦り傷が付くことを防止できると共に、ほこりがガラス膜１０の内面１２に落ちることを防止できる。また、ガラス膜１０をタブレット電子デバイスに貼り合せる時、ガラス膜１０とタブレット電子デバイスのスクリーンの間に気泡やほこりが入ることを防止できる。ガラス膜１０の内面１２を保護するために保護膜３０を設けたが、該タブレット電子デバイスのガラス保護フィルムを使用する時、ガラス膜１０から該保護膜３０を剥がす必要がある。保護膜３０はＰＥＴ膜であってよい。更に、該タブレット電子デバイスのガラス保護フィルムはガラス膜１０の外面１１を保護するための、ガラスの外面１１に貼り合せられる貼合膜を含んでもよい。
【００２４】
本実施例では、保護枠２０はガラス膜１０の周辺に射出成形された軟質ゴム枠である。軟質ゴム枠を使用すれば、より好適にタブレット電子デバイスの側辺に貼り合せることができるだけでなく、より好適に手を擦ることを防止できる。射出成形を使用すれば、加工しやすく、保護枠２０とガラス膜１０が堅固に接続される。他の実施例では、保護枠２０はガラス膜１０に粘着接続してもよく、保護枠２０は金属枠等であってもよい。ガラス膜１０に十分な硬度を持たせるために、ガラス膜１０は強化ガラス膜であってよい。
【００２５】
（実施例２）
図５を参照し、タブレット電子デバイスのガラス保護フィルムを説明する。本実施例は、ガラス膜１０の内面１２の周辺に凹溝１３が開設され、接続部２３に凹溝１３に連携して伸び込む係合ボス（未図示）が突出設置されている点で、で実施例１のタブレット電子デバイスのガラス保護フィルムと異なる。タブレット電子デバイス、特にタブレット携帯電話はフレームが狭く、タブレット電子デバイスのガラス保護フィルムをタブレット電子デバイスに貼り合せた後、保護枠２０がタブレット電子デバイスのスクリーンを遮るようになってはならないので、保護枠２０をも比較的狭く製作する必要がある。ガラス膜１０の内面１２の周辺に凹溝１３を開設し、接続部２３に係合ボスを設けるようにすれば、保護枠２０とガラス膜１０の接続をより堅固にできる。
【００２６】
本実施例のタブレット電子デバイスのガラス保護フィルムの他の構造は実施例１と同様であり、ここで繰り返して記述しない。
【００２７】
（実施例３）
図６を参照し、タブレット電子デバイスのガラス保護フィルムを説明する。本実施例は、側枠部２１の内側面に、ガラス膜１０の周辺を挿入させるＵ型溝２１１が設けられている点で、実施例１のタブレット電子デバイスのガラス保護フィルムと異なる。Ｕ型溝２１１を設ければ、保護枠２０とガラス膜１０の接触面積を増加でき、Ｕ型溝２１１にガラス膜１０の周辺を包ませて保護枠２０とガラス膜１０の接続をより堅固にする。
【００２８】
ガラス膜１０の周辺にＵ型溝２１１に連携して挿入される、厚さがガラス膜１０の中部の厚さより小さい接続ボス１４が突出設置されている。接続ボス１４を設ければ、ガラス膜１０の外面１１と側枠部２１の外面１１を同一な高さにでき、タブレット電子デバイスのガラス保護フィルムの美しい外観を保持できると共に、ガラス膜１０と保護枠２０の接触箇所が手を擦ることを防止し、タブレット電子デバイスのガラス保護フィルムの把持感触を向上させることができる。
【００２９】
本実施例のタブレット電子デバイスのガラス保護フィルムの他の構造は実施例１と同様であり、ここで繰り返して記述しない。
【００３０】
（実施例４）
図７、図８及び図９を参照し、タブレット電子デバイスのガラス保護フィルムを説明する。本実施例は、ガラス膜１０の内面１２におけるタブレット電子デバイスのフレームに対応する位置に装飾層４０が設けられている点で、実施例１のタブレット電子デバイスのガラス保護フィルムと異なる。装飾層４０を設ければ、該タブレット電子デバイスのガラス保護フィルムをタブレット電子デバイスに貼り合せた後、タブレット電子デバイスを保護する作用を発揮できることに加えて、タブレット電子デバイスを美しくすることもできる。該タブレット電子デバイスのガラス保護フィルムの機能が増加される。
【００３１】
本実施例のタブレット電子デバイスのガラス保護フィルムの他の構造は実施例１と同様であり、ここで繰り返して記述しない。
【００３２】
上記は本実用新案の好ましい実施例に過ぎず、本実用新案を限定するためのものではなく、本実用新案の精神と原則内に行われたいずれの修正、同等な代替及び改進は、すべてこの実用新案の登録請求の範囲に含まれるものである。
【図１】
0003198445.tif 000003
【図２】
0003198445.tif 000004
【図３】
0003198445.tif 000005
【図４】
0003198445.tif 000006
【図５】
0003198445.tif 000007
【図６】
0003198445.tif 000008
【図７】
0003198445.tif 000009
【図８】
0003198445.tif 000010
【図９】
0003198445.tif 000011